(57)【要約】【課題】鋼材の表面疵の原因になるトーチノロを鋳片の下面側にあるもののみならず、上面、さらには側面に発生、残存するものを含めて効率的に除去する手段を提案するものである。併せて、本発明はそのようなトーチノロ除去装置に好適なトーチノロ破砕スタンドを提案する。【解決手段】連続鋳造鋳片のトーチノロ除去装置を、軸方向に多数の環状突起を有するトーチノロ破砕ロールが上下一対に組み込まれたトーチノロ破砕スタンドが、該トーチノロ破砕スタンドに包含されるトーチノロ破砕ロールの環状突起の位相が前後で異なるように連続鋳造鋳片搬送通路に少なくとも２組タンデムに配設されたものとする。【選択図】          図１
2004261840.tif 000002
【特許請求の範囲】
【請求項１】
軸方向に多数の環状突起を有するトーチノロ破砕ロールが上下一対に組み込まれたトーチノロ破砕スタンドを、該トーチノロ破砕スタンドに包含されるトーチノロ破砕ロールの環状突起の位相が前後で異なるように連続鋳造鋳片搬送通路に少なくとも２組タンデムに配設にしてなることを特徴とする連続鋳造鋳片のトーチノロ除去装置。
【請求項２】
請求項１記載の連続鋳造鋳片のトーチノロ除去装置において、さらに、軸方向に多数の環状突起を有するトーチノロ破砕ロールが左右一対に組み込まれたトーチノロ破砕スタンドを、該トーチノロ破砕スタンドに包含されるトーチノロ破砕ロールの環状突起の位相が前後で異なるように連続鋳造鋳片搬送通路に少なくとも２組タンデムに配設にしてなることを特徴とする連続鋳造鋳片のトーチノロ除去装置。
【請求項３】
軸方向に多数の環状突起を有するトーチノロ破砕ロールが上下又は左右一対に組み込まれたことを特徴とするトーチノロ破砕スタンド。
【発明の詳細な説明】
【０００１】
【発明の属する技術分野】
本発明は連続鋳造した鋳片をガス切断したときに生ずるいわゆるトーチノロ除去装置及びそれに用いるトーチノロ破砕スタンドに関する。
【０００２】
【従来の技術】
連続鋳造鋳片をガス切断したときには鋳片の切断面及びその近傍にトーチノロが発生する。このトーチノロが残留したまま熱間圧延すると圧延製品のノロ噛み疵等の原因になるので、ガス切断後トーチノロを除去する工程が行われる。特許文献１、特許文献２にはトーチノロ（トーチだれともいう）の除去装置が提案されている。
【０００３】
【特許文献１】
実公昭６０−３７１５６号公報
【特許文献２】
実開昭６１−５８０４５８号公報
【０００４】
【発明が解決しようとする課題】
これらの装置を利用することによって、連続鋳造鋳片の下面に付着・残留しているトーチノロをほぼ完全に除去することができる。しかし、連続鋳造鋳片のガス切断の際に発生するトーチノロは、鋳片下面だけに発生、残存するものではない。鋳片の上面や側面にも発生、残存し、鋼材の表面疵を厳しく管理するときには、それにより発生する疵が問題になる。
【０００５】
本発明は、そのような鋼材の表面疵の原因になるトーチノロを鋳片の下面側にあるもののみならず、上面、さらには側面に発生、残存するものを含めて効率的に除去する手段を提案するものである。併せて、本発明はそのようなトーチノロ除去装置に好適なトーチノロ破砕スタンドを提案するものである。
【０００６】
【課題を解決するための手段】
本発明に係る連続鋳造鋳片のトーチノロ除去装置は、軸方向に多数の環状突起を有するトーチノロ破砕ロールが上下一対に組み込まれたトーチノロ破砕スタンドを、該トーチノロ破砕スタンドに包含されるトーチノロ破砕ロールの環状突起の位相が前後で異なるように連続鋳造鋳片搬送通路に少なくとも２組タンデムに配設にしてなるものである。
【０００７】
上記装置において、さらに、軸方向に多数の環状突起を有するトーチノロ破砕ロールが左右一対に組み込まれたトーチノロ破砕スタンドを、該トーチノロ破砕スタンドに包含されるトーチノロ破砕ロールの環状突起の位相が前後で異なるように連続鋳造鋳片搬送通路に少なくとも２組タンデムに配設にすることができる。
【０００８】
上記連続鋳造鋳片のトーチノロ除去装置は、軸方向に多数の環状突起を有するトーチノロ破砕ロールが上下又は左右一対に組み込まれたトーチノロ破砕スタンドを利用することによって、その組み立て、製作が容易になる。
【０００９】
【発明の実施の形態】
以下、本発明をその実施例に基づき、具体的に説明する。図１、図２に示すように、本発明の連続鋳造鋳片のトーチノロ除去装置は連続鋳造スラブ１を搬送するローラーテーブル２の中にトーチノロ破砕スタンド１０（１０Ａ，１０Ｂ）、３０（３０Ａ，３０Ｂ）を組み込んだものとなっている。この連続鋳造鋳片のトーチノロ除去装置は、連続鋳造鋳片の上下面に付着しているトーチノロを除去するためには上下面側トーチノロ破砕スタンド１０Ａ、１０Ｂをタンデムに組み込んでおり、上下面と同時に側面に付着しているトーチノロを除去するためには、さらに側面側トーチノロ除去スタンドを３０Ａ、３０Ｂを組み込んでいる。
【００１０】
上下面トーチノロ除去スタンド１０は、図３に示すように、ハウジング１１に上破砕ロール１５及び下破砕ロール２０がそれぞれ連続鋳造スラブ１の上面、下面を押圧しながら転動するように構成されている。
【００１１】
上破砕ロール１５は、鋳鉄又は鋼鉄製の胴部１６に硬質耐熱金属の環状突起１７をロール軸方向に多数巻き付けてなるものである。環状突起１７の幅は、約３０〜７０ｍｍとし、その高さは約３〜７ｍｍとするのがよい。その間隔は、上記幅と同程度あるいは若干大とする。この上破砕ロール１５は、前記ハウジング１１からシリンダー１２により昇降可能に取り付けられた上フレーム１３に上ロールチョック１４を介して連続鋳造スラブ１の上面に圧下力を加えるように取り付けられ、スピンドル１８を介してモーター１９により回転可能にされている。
【００１２】
一方、下破砕ロール２０は、前記ハウジング１１の床面に設置された下フレーム２１に下ロールチョック２２を介して、その胴部３６でローラーテーブル２とともに連続鋳造スラブ１の搬送通路を形成するように取り付けられ、スピンドル２３を介してモーター２４により回転可能にされている。なお、下破砕ロール２０は上破砕ロールと１３と同様の構造を持つ。
【００１３】
このようにして構成される上下面トーチノロ除去スタンド１０は、図１、図２に示すようにローラーテーブル２の中に少なくとも２基タンデムに配置される。その際、前方の上下面トーチノロ除去スタンド１０Ａに組み込まれているトーチノロ破砕ロール２０と後方の上下面トーチノロ除去スタンド１０Ｂに組み込まれているトーチノロ破砕ロール２０では、環状突起の位相が前後で異なるようになっている。
すなわち前方のトーチノロ除去スタンド１０Ａに組み込まれているトーチノロ破砕ロール２０の凹部に対応する位置に後方の上下面トーチノロ除去スタンド１０Ｂに組み込まれているトーチノロ破砕ロール２０の凸部が位置するようになっている。
【００１４】
本発明連続鋳造鋳片のトーチノロ除去装置は、連続鋳造スラブ１を搬送するローラーテーブル２の中に上記構成を有するトーチノロ破砕スタンド１０をタンデム組み込んだものとなっている。したがって、この装置に連続鋳造スラブ１を通すと、まず前段のトーチノロ破砕スタンド１０Ａで上下両面のトーチノロがそこに組み込まれた破砕ロールの環状突起により部分的に破砕され、残りが後段のトーチノロ破砕スタンド１０Ｂにより破砕され、結果として１パスで上下両面のトーチノロを除去することができることになる。
【００１５】
連続鋳造スラブ１の側面に付着しているトーチノロを、上下面に付着しているトーチノロと同時に除去するためには、図１、図２に示すように、連続鋳造スラブ１を挟むように側面側トーチノロ除去スタンドを３０（３０Ａ、３０Ｂ）を組み込む。
【００１６】
その具体的構成の代表例は図４に示す。この例では、ローラーテーブル２を挟んで立設されたコラム３１にシリンダー３２によって左右に移動可能なサイドフレーム３３を設け、これにサイドロールチョック３４を介して連続鋳造スラブ１の側面に圧下力を加えるように側面破砕ロール３５が取り付けられ、これがスピンドル３７を介してモーター３８により回転可能にされている。
【００１７】
この側面側トーチノロ除去スタンド３０Ａ、３０Ｂが、連続鋳造スラブ１の進行方向にタンデムに配設されることは上下面トーチノロ除去スタンドの場合と同様であり、また、その際、トーチノロ破砕スタンドに包含されるトーチノロ破砕ロールの環状突起の位相が前後で異なるようにされることも上下面トーチノロ除去スタンドの場合と同様である。その結果、連続鋳造スラブの側面に付着したトーチノロを１パスで除去できることも同様である。
【００１８】
なお、上記側面側トーチノロ除去スタンド３０に用いる側面破砕ロール３５は、トーチノロの付着量が比較的少ないので、上（下）面破砕ロール１５（２０）に比べ、小径のものでよく、その環状突起の幅は、約１０〜２０ｍｍとし、その高さは約２〜５ｍｍとするのがよい。
【００１９】
以上本発明の実施形態を一実施例に基づき説明したが、本発明の実施形態はこれに限られるものではない。たとえば、破砕ロールの環状突起の幅や高さは付着しているトーチノロの量や性質によって適宜変更できるものであり、また、これらロールの駆動機構、圧下・押付け機構も適宜変更できるものである。要は、軸方向に多数の環状突起を有するトーチノロ破砕ロールがその環状突起の位相が前後で異なるように配設され、それにより破砕残しなくトーチノロが除去できるようになっていればよいのである。
【００２０】
【発明の効果】
本発明により、鋼材の表面疵の原因になるトーチノロを鋳片の下面側にあるもののみならず、上面、さらには側面に発生、残存するものを含めて効率的に除去することができる。また、本発明のトーチノロ破砕スタンドにより、トーチノロ除去装置を効率的に製作することができるようになる。
【図面の簡単な説明】
【図１】本発明に係る連続鋳造鋳片のトーチノロ除去装置のレイアウトを示す正面図である。
【図２】図１のＡＡ矢視による正面図である
【図３】図１のＢＢ矢視による上下面側トーチノロ破砕スタンドの側面図である。
【図４】側面側トーチノロ破砕スタンドの正面図である。
【符号の説明】
１：連増鋳造スラブ
２：ローラーテーブル
１０：上下面トーチノロ破砕スタンド
１１：ハウジング
１２：シリンダー
１３：上フレーム
１４：上ロールチョック
１５：上破砕ロール
１６：胴部
１７：環状突起
１８：スピンドル
１９：モータ
２０：下破砕ロール
２１：下フレーム
２２：下ロールチョック
２３：スピンドル
２４：モーター
３０：側面側トーチノロ破砕スタンド
３１：コラム
３２：シリンダー
３３：  サイドフレーム
３４：サイドロールチョック
３５：側面破砕ロール
３６：胴部
３７：環状突起
３８：スピンドル
３９：モーター
【図１】
2004261840.tif 000003
【図２】
2004261840.tif 000004
【図３】
2004261840.tif 000005
【図４】
2004261840.tif 000006